(57)【特許請求の範囲】
【請求項１】
誘電層と、複数の導電板と、前記導電板のうちのある二つの導電板間をそれぞれ電気的に接続するステッチングビアと、を備え、
前記ステッチングビアは、
前記誘電層を貫通し、一端が前記二つの導電板のうちの一つと同一平面上に位置する第１ビアと、
前記誘電層を貫通し、一端が前記二つの導電板のうちの他の一つと同一平面上に位置する第２ビアと、
一端が前記第１ビアの他端に接続し、他端が前記第２ビアの他端に接続する接続パターンと、
導電性ラインパターンで形成され、一端が前記第１ビアの前記一端に接続し、他端が前記一つの導電板に接続するように、前記一つの導電板の内部にパターン形成される第１延長パターンと、
導電性ラインパターンで形成され、 一端が前記第２ビアの前記一端に接続し、他端が前記他の一つの導電板に接続するように、前記他の一つの導電板の内部にパターン形成される第２延長パターンと、
を備えることを特徴とする電磁気バンドギャップ構造物。
【請求項２】
前記導電板から前記誘電層を隔てて位置する導電層をさらに含むことを特徴とする請求項１に記載の電磁気バンドギャップ構造物。
【請求項３】
前記導電層には、クリアランスホールが備えられ、
前記接続パターンが、前記クリアランスホール内に収容されることを特徴とする請求項２に記載の電磁気バンドギャップ構造物。
【請求項４】
前記導電板が、同一平面上に位置することを特徴とする請求項１から請求項３の何れかに記載の電磁気バンドギャップ構造物。
【請求項５】
前記導電板が、それぞれ同じサイズを有することを特徴とする請求項１から請求項４の何れかに記載の電磁気バンドギャップ構造物。
【請求項６】
前記導電板が、複数の異なるサイズのグループに分けられることを特徴とする請求項１から請求項４の何れかに記載の電磁気バンドギャップ構造物。
【請求項７】
前記導電板が、多角形、円形、または楕円形の形状を有することを特徴とする請求項１から請求項６の何れかに記載の電磁気バンドギャップ構造物。
【請求項８】
印刷回路基板であって、
誘電層と、複数の導電板と、前記導電板のうちのある二つの導電板間をそれぞれ電気的に接続させるステッチングビアと、を含む電磁気バンドギャップ構造物が、前記印刷回路基板に存在するノイズ源とノイズ遮蔽先との間のノイズ伝達可能経路に配置され、
前記ステッチングビアは、
前記誘電層を貫通し、一端が前記二つの導電板のうちの一つと同一平面上に位置する第１ビアと、
前記誘電層を貫通し、一端が前記二つの導電板のうちの他の一つと同一平面上に位置する第２ビアと、
一端が前記第１ビアの他端に接続し、他端が前記第２ビアの他端に接続する接続パターンと、
導電性ラインパターンで形成され、一端が前記第１ビアの前記一端に接続し、他端が前記一つの導電板に接続されるように、前記一つの導電板の内部にパターン形成される第１延長パターンと、
導電性ラインパターンで形成され、 一端が前記第２ビアの前記一端に接続し、他端が前記他の一つの導電板に接続するように、前記他の一つの導電板の内部にパターン形成される第２延長パターンと、
を含むことを特徴とする印刷回路基板。
【請求項９】
前記導電板から前記誘電層を隔てて位置する導電層をさらに含むことを特徴とする請求項８に記載の印刷回路基板。
【請求項１０】
前記導電層にはクリアランスホールが設けられ、
前記接続パターンが、前記クリアランスホール内に収容されることを特徴とする請求項９に記載の印刷回路基板。
【請求項１１】
前記導電層が、接地層及び電源層のうちの何れか一つであり、前記導電板が他の一つの層と電気的に接続することを特徴とする請求項１０に記載の印刷回路基板。
【請求項１２】
前記導電層が接地層であり、前記導電板が信号層と電気的に接続することを特徴とする請求項１０に記載の印刷回路基板。
【請求項１３】
前記印刷回路基板には互いの動作周波数が異なっている二つの電子回路が搭載され、
前記ノイズ源及び前記ノイズ遮蔽先は、前記印刷回路基板で前記二つの電子回路が搭載されるそれぞれの位置の一つ及び他の一つに対応することを特徴とする請求項８から請求項１２の何れかに記載の印刷回路基板。
【請求項１４】
前記導電板が、同一平面上に位置することを特徴とする請求項８から請求項１３の何れかに記載の印刷回路基板。
【請求項１５】
前記導電板が、それぞれ同じサイズを有することを特徴とする請求項８から請求項１４の何れかに記載の印刷回路基板。
【請求項１６】
前記導電板が、複数の異なるサイズのグループに分けられることを特徴とする請求項８から請求項１４の何れかに記載の印刷回路基板。
【請求項１７】
前記導電板が、多角形、円形、または楕円形の形状を有することを特徴とする請求項８から請求項１６の何れかに記載の印刷回路基板。
【発明の詳細な説明】
【技術分野】
【０００１】
本発明は、電磁気バンドギャップ構造に関するもので、より詳しくは、所定周波数帯域の信号の伝達を遮断する電磁気バンドギャップ構造物及びこれを含む印刷回路基板に関する。
【背景技術】
【０００２】
近年、市販されている電子機器及び通信機器は、ますます小型化、薄型化、軽量化が進んでいる。これは移動容易性が重要視される最近の傾向とも密接に関係している。
【０００３】
このような電子機器及び通信機器には、その機器の機能や動作を実現するための多様な電子回路、例えば、アナログ回路（ａｎａｌｏｇ  ｃｉｒｃｕｉｔ）やデジタル回路（ｄｉｇｉｔａｌ  ｃｉｒｃｕｉｔ）が複合的に含まれており、通常このような電子回路は印刷回路基板（ｐｒｉｎｔｅｄ  ｃｉｒｃｕｉｔ  ｂｏａｒｄ：ＰＣＢ）に搭載されてその機能を行うことになる。そのため、印刷回路基板に搭載された電子回路の大部分は、それぞれの動作周波数が異なる。
【０００４】
したがって、多様な電子回路が複合的に搭載されている印刷回路基板では、通常、ある一つの電子回路の動作周波数とそのハーモニックス（ｈａｒｍｏｎｉｃｓ）成分による電磁波が他の電子回路に伝達され、干渉することにより発生するノイズ問題、すなわち、混合信号（ｍｉｘｅｄ  ｓｉｇｎａｌ）の問題が多い。ここで、伝達されるノイズとしては、放射ノイズ（ｒａｄｉａｔｉｏｎ  ｎｏｉｓｅ）と伝導ノイズ（ｃｏｎｄｕｃｔｉｏｎ  ｎｏｉｓｅ）とに大別できる。
【０００５】
放射ノイズは、通常、電子回路に遮蔽用キャップを被せることにより容易に低減できるが、伝導ノイズ（図１の１５０参照）は、基板内部の信号伝達経路を通じて伝達されることから、ノイズを低減させる方法を見出すことが難しかった。
【０００６】
これについて、図１を参照しながら、より具体的に説明する。図１は動作周波数が異なっている二つの電子回路が搭載されている印刷回路基板の断面図である。図１には４層構造の印刷回路基板１００が示されているが、これ以外にも２層、６層、８層構造など、多様に変形可能である。
【０００７】
図１を参照すると、印刷回路基板１００には、４個の金属層１１０（１１０−１，１１０−２，１１０−３，１１０−４）と、各金属層間に介在された誘電層１２０（１２０−１，１２０−２，１２０−３）とが含まれている。印刷回路基板１００の最上位金属層１１０−１上には、互いの動作周波数が異なる二つの電子回路１３０，１４０（以下、第１電子回路１３０、第２電子回路１４０と称する）が搭載されている。互いの動作周波数が異なる二つの電子回路は、携帯電話のような移動通信端末機を例に挙げると、マイクロプロセッサとして機能するデジタル回路と、ＲＦ信号の送受信のためのＲＦ回路（アナログ回路）のようなものが挙げられる。
【０００８】
ここで、金属層１１０−２を接地層（ｇｒｏｕｎｄ  ｌａｙｅｒ）、金属層１１０−３を電源層（ｐｏｗｅｒ  ｌａｙｅｒ）と仮定すれば、第１電子回路１３０及び第２電子回路１４０の各接地端子（ｇｒｏｕｎｄ  ｐｉｎ）は金属層１１０−２に、各電源端子（ｐｏｗｅｒ  ｐｉｎ）は金属層１１０−３に電気的に接続する。また、印刷回路基板１００内のすべての接地層間、及びすべての電源層間はビアを介して互いに電気的に接続する（図１の１６０参照）。
【０００９】
ここで、第１電子回路１３０と第２電子回路１４０とが互いに異なる動作周波数を有する場合には、図１に示すように、例えば、第１電子回路１３０の動作周波数とそのハーモニックス成分による伝導ノイズ１５０が第２電子回路１４０に伝達され、第２電子回路１４０の正確な機能や動作を妨げるようになる。
【００１０】
このような伝導ノイズ問題は、電子機器が複雑になり、デジタル回路の動作周波数が増加するにつれてその解決がますます難しくなっている。特に、伝導ノイズに対して典型的な解決策であったバイパスキャパシタ（ｂｙｐａｓｓ  ｃａｐａｃｉｔｏｒ）あるいはデカップリングキャパシタ（ｄｅｃｏｕｐｌｉｎｇ  ｃａｐａｃｉｔｏｒ）による方法も、高周波数帯域を用いる電子機器には好適な解決策となっていない。
【００１１】
また、これらの方法は、種々の電子回路が同一基板に備えられている複雑な配線構造の基板、またはＳＩＰ（Ｓｙｓｔｅｍ  ｉｎ  Ｐａｃｋａｇｅ）のように狭い領域に多くの能動素子や受動素子が設けられる場合とか、ネットワークボードのように高周波数帯域の動作周波数が必要とされる場合には、根本的な解決策にならないという問題点があった。
【発明の開示】
【発明が解決しようとする課題】
【００１２】
こうした従来技術の問題点に鑑み、本発明は、小さいサイズを有しながらも、低いバンドギャップ周波数を有するため、特定周波数のノイズを低減できる電磁気バンドギャップ構造物及びこれを含む印刷回路基板を提供することをその目的の一つとする。
【００１３】
本発明は、小さいサイズを有しながらも、高いインピーダンス及びインダクタンスなどを確保して、ＳＩＰ（Ｓｙｓｔｅｍ  ｉｎ  Ｐａｃｋａｇｅ）のように狭い領域に多くの能動素子と受動素子とを設ける場合にも設計を容易にする電磁気バンドギャップ構造物及びこれを含む印刷回路基板を提供することを目的の一つとする。
【００１４】
また、本発明は、ＲＦ回路とデジタル回路とが同一基板内に設けられている電子機器、例えば、移動通信端末などでの混合信号の問題を解決できる電磁気バンドギャップ構造物及びこれを含む印刷回路基板を提供することを目的の一つとする。
【課題を解決するための手段】
【００１５】
本発明の一実施形態によれば、誘電層と、複数の導電板と、上記導電板のうち何れか二つの導電板間をそれぞれ電気的に接続させるステッチングビアと、を含む電磁気バンドギャップ構造物が提供される。ここで、上記ステッチングビアは、上記誘電層を貫通し、一端が上記二つの導電板のうちの一つと同一平面上に位置する第１ビアと、上記誘電層を貫通し、一端が上記二つの導電板のうちの他の一つと同一平面上に位置する第２ビアと、一端が上記第１ビアの他端に接続し、他端が上記第２ビアの他端に接続する接続パターンと、上記一つの導電板と同一平面上に位置し、一端が上記第１ビアの上記一端に接続し、他端が上記一つの導電板に接続する第１延長パターンと、を含むことができる。
【００１６】
ここで、上記導電板から上記誘電層を隔てて位置する導電層をさらに含むことができる。このとき、上記導電層には、クリアランスホールが備えられ、上記接続パターンは上記クリアランスホール内に収容されてもよい。
【００１７】
ここで、上記ステッチングビアは上記他の一つの導電板と同一平面上に位置し、一端が上記第２ビアの上記一端に接続し、他端が上記他の一つの導電板に接続する第２延長パターンをさらに含むことができる。
【００１８】
ここで、上記導電板は多角形、円形、または楕円形の形状を有してもよい。上記導電板はそれぞれ同じサイズを有してもよく、上記導電板は複数の異なるサイズのグループに分けられてもよい。また、上記導電板はすべて同一平面上に位置してもよい。
【００１９】
本発明の他の実施形態によれば、印刷回路基板であって、誘電層と、複数の導電板と、上記導電板のうち何れか二つの導電板間をそれぞれ電気的に接続させるステッチングビアと、を含む電磁気バンドギャップ構造物が上記印刷回路基板に存在するノイズ源とノイズ遮蔽先との間のノイズ伝達可能経路に配置されることができる。
【００２０】
ここで、上記ステッチングビアは、上記誘電層を貫通し、一端が上記二つの導電板のうちの一つと同一平面上に位置する第１ビアと、上記誘電層を貫通し、一端が上記二つの導電板のうちの他の一つと同一平面上に位置する第２ビアと、一端が上記第１ビアの他端に接続し、他端が上記第２ビアの他端に接続する接続パターンと、上記一つの導電板と同一平面上に位置し、一端が上記第１ビアの上記一端に接続し、他端が上記一つの導電板に接続する第１延長パターンと、を含むことができる。
【００２１】
ここで、上記導電板から上記誘電層を隔てて位置する導電層をさらに含むことができる。このとき、上記導電層にはクリアランスホールが備えられ、上記接続パターンは上記クリアランスホール内に収容されてもよい。
【００２２】
ここで、上記導電層は接地層及び電源層のうちの何れか一つであり、上記導電板は他の一つの層と電気的に接続してもよい。また、上記導電層は接地層であり、上記導電板は信号層と電気的に接続してもよい。
【００２３】
上記ステッチングビアは、上記他の一つの導電板と同一平面上に位置し、一端が上記第２ビアの上記一端に接続し、他端が上記他の一つの導電板に接続する第２延長パターンをさらに含むことができる。
【００２４】
ここで、上記導電板は、多角形、円形、または楕円形の形状を有してもよい。上記導電板は、それぞれ同じサイズを有してもよく、または上記導電板は複数の異なるサイズのグループに分けられてもよい。また、上記導電板はすべて同一平面上に位置してもよい。
【００２５】
ここで、上記印刷回路基板には互いの動作周波数が異なっている二つの電子回路が搭載され、上記ノイズ源及び上記ノイズ遮蔽先は、上記印刷回路基板で上記二つの電子回路が搭載されるそれぞれの位置の一つ及び他の一つに対応することができる。
【発明の効果】
【００２６】
本発明による電磁気バンドギャップ構造物は、小さいサイズを有しながらも、低いバンドギャップ周波数を有するため、特定周波数のノイズを低減できる。そして、これにより、高いインピーダンスや高いインダクタンスなどを確保して、ＳＩＰのように狭い領域に多くの能動素子と受動素子とが設けられる場合にも設計が容易になる。また、ＲＦ回路とデジタル回路とを同一基板内に設ける移動通信端末などのような電子機器での混合信号の問題を解決することができる。
【発明を実施するための最良の形態】
【００２７】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明を説明するに当たって、係る公知技術に対する具体的な説明が本発明の要旨をかえって不明にすると判断される場合、その詳細な説明を省略する。
【００２８】
「第１」、「第２」などの用語は、多様な構成要素を説明するのに用いることに過ぎなく、上記構成要素が上記用語により限定されるものではない。上記用語は一つの構成要素を他の構成要素から区別する目的だけに用いられる。例えば、本発明の権利範囲内における第１構成要素は第２構成要素であると命名されることができ、同様に第２構成要素も第１構成要素であると命名されることができる。「及び」／「または」という用語は、複数の関連のある記載項目の組み合わせまたは複数の関連のある記載項目のうち何れかの項目を含む。
【００２９】
ある構成要素が他の構成要素に「連結」あるいは「接続」されていると記載された時には、その他の構成要素に直接的に連結されているか、または接続されていることもでき、中間に他の構成要素が存在することもできると理解しなければならない。反面、ある構成要素が他の構成要素に「直接連結」あるいは「直接接続」されていると記載された時には、中間に他の構成要素が存在しないと理解しなければならない。
【００３０】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書上に記載された特徴、数字、段階、動作、構成要素、部品、またはこれらを組み合わせたものの存在を指定するものであって、一つまたはそれ以上の他の特徴や数字、段階、動作、構成要素、部品、またはこれらを組み合わせたものの存在または付加可能性を予め排除するものではないと理解しなくてはならない。
【００３１】
他に定義しない限り、技術的または科学的用語を含んで、ここで用いられるすべての用語は、本発明が属する技術分野で通常の知識を有する者によって一般的に理解されるものと同一の意味を有する。一般的に用いられる予め定義されているような用語は、関連技術の文脈上の意味と一致する意味を有すると解釈すべきで、本願で明らかに定義しない限り、理想的または過度に形式的意味に解釈しない。
【００３２】
以下、添付した図面に基づいて、本発明による電磁気バンドギャップ構造物及びこれを含む印刷回路基板を説明し、本発明の理解を助けるために、本発明の各実施例に対する比較対象として、ステッチングビアを含む電磁気バンドギャップ構造物の複数の形態について図２ａ〜図２ｃを参照して説明する。
【００３３】
本明細書では、本発明の電磁気バンドギャップ構造を説明するに当たって、その全般にかけて金属層（ｍｅｔａｌ  ｌａｙｅｒ）と金属板（ｍｅｔａｌ  ｐｌａｔｅ）とが用いられる場合を中心に説明するが、これは金属ではなく、他の電気伝導性物質で製造された導電層（ｃｏｎｄｕｃｔｉｖｅ  ｌａｙｅｒ）または導電板（ｃｏｎｄｕｃｔｉｖｅ  ｐｌａｔｅ）にそれぞれ代替可能なことは当業者にとって自明なことである。
【００３４】
また、図２ａ〜図２ｂ、図３では、図面図示の便宜上、二つの金属板だけを示したが、図４ａ〜図７ｂに示すように、電磁気バンドギャップ構造物の一構成としての金属板は多数存在してもよいことは言うまでもない。
【００３５】
図２ａに示されている電磁気バンドギャップ構造物２００は、金属層２１０、金属層２１０から離隔して位置する複数の金属板２３０−１，２３０−２（以下、第１金属板、第２金属板と称する）、及びステッチングビア（ｓｔｉｔｃｈｉｎｇ  ｖｉａ）２４０を含む。すなわち、図２ａに示された電磁気バンドギャップ構造物２００は、金属層２１０を第１層とし、複数の金属板２３０−１，２３０−２を第２層とする２層構造を有している。このとき、金属層２１０と複数の金属板２３０−１，２３０−２との間には誘電層２２０が介在されている。
【００３６】
ここで、図２ａには、図面図示の便宜上、ただ電磁気バンドギャップ構造物を構成する構成要素だけ、すなわち、ステッチングビアを含んでいる２層構造の電磁気バンドギャップ構造物の構成部分だけを示し、これは図２ｂ、図３においても同様である。したがって、図２ａに示された金属層２１０と金属板２３０−１，２３０−２とは、多層印刷回路基板の内部に存在する任意の二つの層であり得る。すなわち、金属層２１０の下部に少なくとも一つの他の金属層がさらに存在することが可能であり、金属板２３０−１，２３０−２の上部にも少なくとも一つの他の金属層がさらに存在することが可能である。なお、金属層２１０と金属板２３０−１，２３０−２との間にも少なくとも一つの他の金属層が存在することも可能である。
【００３７】
例えば、図２ａに示された電磁気バンドギャップ構造物は、伝導ノイズを遮蔽するために、多層印刷回路基板内でそれぞれ電源層と接地層とを構成する任意の二つの金属層の間に配置されてもよい。これは図２ｂ〜図３に示された他の実施例による電磁気バンドギャップ構造物においても同様である。また、伝導ノイズは、必ずしも電源層と接地層との間のみで問題となるものではないため、図２ａ〜図４ｂに示された電磁気バンドギャップ構造物は、多層印刷回路基板内での異なる層間のある二つの接地層の間、あるいはある二つの電源層の間にも配置されることができる。
【００３８】
したがって、金属層２１０は、電気的信号を伝達するために、印刷回路基板内に存在する任意の一金属層であり得る。例えば、金属層２１０は、電源層または接地層として機能する金属層であるか、または信号ラインを構成する信号層として機能する金属層であることが可能である。
【００３９】
このとき、金属層２１０は、複数の金属板とは異なる平面に位置すると共に、複数の金属板とは電気的に分離して存在する。すなわち、金属層２１０は、印刷回路基板内で複数の金属板２３０−１，２３０−２と電気信号的に互いの層が異なっている。例えば、金属層２１０が電源層であれば金属板は接地層と電気的に接続し、金属層２１０が接地層であれば金属板は電源層と電気的に接続することになる。または、金属層２１０が信号層であれば金属板は接地層と電気的に接続し、金属層２１０が接地層であれば金属板は信号層と電気的に接続することになる。
【００４０】
複数の金属板２３０−１，２３０−２は、金属層２１０上部のある一平面上に位置する。このとき、ある二つの金属板の間はステッチングビアを介して電気的に接続することになり、このように、ある二つの金属板の間を電気的に接続させるそれぞれのステッチングビアにより複数の金属板すべてが電気的に一つに繋がって接続することになる。
【００４１】
ここで、図２ａには、何れか一つの金属板を基準にして、それと隣接する四方の金属板間がそれぞれ一つのステッチングビアにより、すべての金属板が電気的に連結された形態が示されているが（図６ａ参照）、すべての金属板が電気的に一つに繋がって閉ループ（ｃｌｏｓｅｄ  ｌｏｏｐ）を形成することができれば、ステッチングビアを介した金属板間の接続方式は如何なる方式を適用してもよい。
【００４２】
また、図２ａでは図面図示の便宜上、同一面積の四角形の形状を有する二つの金属板だけを示したが、それ以外にも様々な変更が可能である。また、図２ｂ及び図３においても同様である。図６ａ〜図６ｅを参照して、簡単に説明する。
【００４３】
例えば、金属板は図６ａの四角形、図６ｂの三角形状以外にも、六角形、八角形などの様々な多角形や、円形または楕円形などで構成されてもよく、その形状に特に制限はない。また、金属板は、図６ａ、図６ｂ、図６ｃに示すように、すべてが同じサイズ（面積、厚さ）であってもよく、図６ｄ及び図６ｅに示すように、異なるサイズを有して、複数の異なるサイズのグループ別に配置されてもよい。
【００４４】
図６ｄを参照すると、相対的に大きいサイズの大金属板Ｂと相対的に小さいサイズの小金属板Ｃが交互に配列されていて、各金属板は隣接する金属板とステッチングビアで接続されている。図６ｅには、相対的に大きいサイズの大金属板Ｄと相対的に小さいサイズの小金属板Ｅ１，Ｅ２，Ｅ３，Ｅ４が配置されている。小金属板Ｅ１，Ｅ２，Ｅ３，Ｅ４が２×２で配列され、全体的に大金属板Ｄとほぼ同じ面積を占めるようになっている。小金属板Ｅ１，Ｅ２，Ｅ３，Ｅ４は、４つのステッチングビアを介して隣接する金属板と電気的に接続している。よって、大金属板Ｄは、８つの小金属板と隣接しているので、８つのステッチングビアを介して隣接する小金属板と電気的に接続される。
【００４５】
図６ａ〜図６ｅは、印刷回路基板内部に様々な構造で配置／配列された電磁気バンドギャップ構造物をその上から見たときのそれぞれのものを示した図であって、図面でのそれぞれの金属板一つは、電磁気バンドギャップ構造物のそれぞれのセルに対応する。すなわち、図６ａ、図６ｂ、図６ｄ、図６ｅは、印刷回路基板内部の基板一面の全体に電磁気バンドギャップ構造物が繰り返し配置された図であり、図６ｃは印刷回路基板内部の基板一面中、一部分だけに電磁気バンドギャップ構造物が帯状に配置された図である。
【００４６】
すなわち、図６ａ、図６ｂ、図６ｄ、図６ｅのように印刷回路基板内部の基板一面の全体に電磁気バンドギャップ構造物のセルが密に配置／配列されることもでき、図６ｃのように一部経路にだけ配置／配列されることもできる。例えば、図６ｃのように、ノイズ源１１とそのノイズ遮蔽先１２との間のノイズ伝達可能経路に沿って１列以上のセルを繰り返し配置することもできる。または図６ｃで、ノイズ源２１とそのノイズ遮蔽先２２との間のノイズ伝達可能経路を横切って遮る形態（遮蔽シールドの形態）にしてセルを１列以上に配置することもできる。
【００４７】
ここで、ノイズ源及びノイズ遮蔽先は、印刷回路基板に搭載され、互いに動作周波数が異なっている二つの電子回路（前述した図１の第１電子回路１３０及び第２電子回路１４０参照）を仮定するとし、その二つの電子回路が印刷回路基板に搭載されるそれぞれの位置に対応することができる。
【００４８】
ステッチングビアは複数の金属板のうちのある二つの金属板間を電気的に接続させる。本明細書のすべての図面では、隣接する二つの金属板間をステッチングビアにより電気的に接続させる方式が採用されているが、ある一つのステッチングビアにより接続される二つの金属板は隣接していない金属板であることもある。また、一つの金属板を基準にして他の一つの金属板が一つのステッチングビアを介して接続されている構造が例示されているが、二つの金属板間を接続させるステッチングビアの数に特に制限はない。
【００４９】
以下、隣接した二つの金属板間が一つのステッチングビアを介して接続される場合を中心に説明する。
【００５０】
ステッチングビア２４０は、第１ビア２４１、第２ビア２４２、及び接続パターン２４３を含み、隣接する二つの金属板間を電気的に接続させる機能をする。
【００５１】
このために、第１ビア２４１は第１金属板２３０−１に接続された一端２４１ａから誘電層２２０を貫通して形成され、第２ビア２４２は第２金属板２３０−２に接続された一端２４２ａから誘電層２２０を貫通して形成される。また、接続パターン２４３は金属層２１０と同一平面上に位置し、その一端が第１ビア２４１の他端２４１ｂに接続し、他端が第２ビア２４２の他端２４２ｂに接続する。ここで、各ビアの一端及び他端には、ビア形成時の穴開け工程による位置の誤差を克服するために、ビアランドがビアの断面積より大きく形成されるが、これは自明な事項であるので、その詳細な説明は省略する。
【００５２】
また、金属板２３０−１，２３０−２と金属層２１０との間の電気的な接続を防止するために、ステッチングビア２４０の接続パターン２４３の周縁にはクリアランスホール２５０が形成される。すなわち、接続パターン２４３はクリアランスホール２５０内に収容される。
【００５３】
ここで、ステッチングビア２４０は、金属板と金属板間の電気的接続のために、第１ビア２４１及び第２ビア２４２の内壁にだけメッキ層が形成されてもよく、あるいはその内部が導電性物質、例えば、導電性ペーストなどで充電されてもよい。また、接続パターン２４３も金属のような導電性物質で構成されてもよい。
【００５４】
すなわち、図２ａの電磁気バンドギャップ構造物において、隣接する二つの金属板２３０−１，２３０−２は同一平面上で接続することではなく、ステッチングビア２４０を介して他の平面、すなわち、金属層２１０を経由して接続される。したがって、図２ａのようなステッチングビアを含む電磁気バンドギャップ構造物２００によれば、同一条件下の隣接する金属板間を同一平面上で接続することに比べて、インダクタンス成分をより簡単に、かつ、より長く確保できるという利点がある。それだけでなく、本発明で隣接する金属板はステッチングビア２４０により接続されるため、第２層の金属板間を電気的に接続するための別途のパターンを形成する必要がない。これにより、金属板間の離隔間隔を減らすことができて、隣接する金属板間に形成されるキャパシタンス成分を増加できるという利点もある。
【００５５】
図２ａにより、特定周波数帯域の信号を遮蔽する電磁気バンドギャップ構造物の原理は次の通りである。金属層２１０と金属板２３０−１，２３０−２との間には誘電層２２０が介在され、これにより、金属層２１０と金属板２３０−１，２３０−２との間、及び隣接する二つの金属板間にキャパシタンス成分が存在する。また、ステッチングビア２４０により、隣接する二つの金属板間には第１ビア２４１→接続パターン２４３→第２ビア２４２を経由するインダクタンス成分も存在する。キャパシタンス成分は、金属層２１０と金属板２３０−１，２３０−２との間、及び隣接する二つの金属板間の離隔間隔、誘電層２２０を構成する誘電物質の誘電率、金属板のサイズ、形状、面積などのような要素によりその値が異なる。インダクタンス成分も、第１ビア２４１、第２ビア２４２、及び接続パターン２４３の形状、長さ、厚さ、幅、断面積などのような要素によりその値が変化する。したがって、上述した多様な要素を適切に調整・設計すれば、図２ａに示されている構造物を、目的周波数帯域の特定信号または特定ノイズの除去や、遮蔽するための電磁気バンドギャップ構造（ｅｌｅｃｔｒｏ  ｂａｎｄｇａｐ  ｓｔｒｕｃｔｕｒｅ：一種の帯域阻止フィルタとして機能）として活用することができる。このような構造を有する電磁気バンドギャップ構造物による等価回路図を図２ｃに示す。
【００５６】
図２ｃの等価回路図を図２ａの電磁気バンドギャップ構造物に適用して説明すると、インダクタンス成分Ｌ１が第１ビア２４１に該当し、インダクタンス成分Ｌ２は第２ビア２４２に該当し、インダクタンス成分Ｌ３は接続パターン２４３に該当する。Ｃ１は金属板２３０−１，２３０−２とその上部に位置する他の任意の誘電層及び金属層によるキャパシタンス成分であり、Ｃ２及びＣ３は接続パターン２４３を基準としてそれと同一平面に位置している金属層２１０とその下部に位置する他の任意の誘電層及び金属層によるキャパシタンス成分である。
【００５７】
図２ｃの等価回路図によって示されるように、図２ａの電磁気バンドギャップ構造物は、特定周波数帯域の信号を遮蔽する帯域阻止フィルタ（ｂａｎｄ  ｓｔｏｐ  ｆｉｌｔｅｒ）としての機能を行う。すなわち、図２ｃの等価回路図から分かるように、低周波数帯域の信号（ｘ）及び高周波数帯域の信号（ｙ）は、電磁気バンドギャップ構造物を通過し、その中間の特定周波数帯域の信号（ｚ１），（ｚ２），（ｚ３）については電磁気バンドギャップ構造物により遮蔽される。
【００５８】
したがって、図６ａ、図６ｂ、図６ｄ、図６ｅの印刷回路基板内部の任意の基板面全体、あるいは、図６ｃのその一部面に、図２ａの構造物や後述する図３の構造物をその印刷回路基板内に存在するノイズ伝達可能経路に繰り返し配列すれば、特定周波数帯域の信号伝達を遮蔽できる電磁気バンドギャップ構造物として機能することができる。これは、図２ｂに示された電磁気バンドギャップ構造物もほぼ同様である。
【００５９】
図２ｂの電磁気バンドギャップ構造物には、図２ａの電磁気バンドギャップ構造物の金属層２１０が存在しないことが分かる。
【００６０】
このように、本発明によるステッチングビアを含む電磁気バンドギャップ構造物には、ステッチングビアと金属板とが位置している領域の下方に必ずしも金属層が存在する必要はない。これは、ステッチングビア２４０の接続パターン２４３を形成する位置が金属層の存在する部分である必要はないからである。
【００６１】
すなわち、接続パターン２４３が形成される位置に対応して同一平面上に任意の金属層が存在する場合には、接続パターン２４３は図２ａに示されたように、同一平面上の金属層２１０に形成されたクリアランスホール２５０内に収容される形態で製作されるが、接続パターン２４３が形成される位置に別途の金属層が存在しない場合もあり、これは図２ｂに示されている。勿論、図２ｂにおいても金属板の下方には誘電層２２０が存在する。
【００６２】
また、ステッチングビアを含む２層構造の電磁気バンドギャップ構造物は、必ずしも金属層２１０上に誘電層２２０が積層され、さらに金属板２３０−１，２３０−２は積層された構造である必要はない。また他の形態も可能であり、例えば、ステッチングビアを含む２層構造の電磁気バンドギャップ構造物が、図２ａの積層構造と反対の構造で、金属板が下層、金属層が上層であって、その間に誘電層が介在される積層構造を有することもできる。このような場合にも、上述したノイズ遮蔽効果を期待できるのは言うまでもない。
【００６３】
以下、上述したノイズ遮蔽の基本原理をより拡張し採用した本発明の電磁気バンドギャップ構造物の多様な実施例を、図３〜図５ｃ、図７ａ〜図７ｃを参照して詳細に説明する。これに先立って、上記図面による本発明の実施例での電磁気バンドギャップ構造物は、ステッチングビアの延長パターンをさらに含むという点以外においては、図２ａ〜図２ｃによる電磁気バンドギャップ構造物と同じ形態を有し、上述した図２ａ〜図２ｃ、図６ａ〜図６ｅに示された電磁気バンドギャップ構造物に関する全般的な内容及びそのノイズ遮蔽原理が、後述する本発明の実施例による電磁気バンドギャップ構造物にも同様に、または類似原理でそのまま適用できることは当業者にとって明らかなことである。
【００６４】
図３は、本発明の一実施例によるステッチングビアを含む電磁気バンドギャップ構造物を示す立体斜視図であり、図４ａは、図３に示された電磁気バンドギャップ構造物の接続パターンを示す図面であり、図４ｂは、図３に示された電磁気バンドギャップ構造物の延長パターンを示す図面である。
【００６５】
図３〜図４ｂを参照すると、本発明の一実施例による電磁気バンドギャップ構造物３００は、金属層３１０、金属層３１０から離隔して位置する複数の金属板３３０−１，３３０−２（以下、第１金属板３３０−１と第２金属板３３０−２と称する）、及びステッチングビア３４０を含む。
【００６６】
このように、本発明による電磁気バンドギャップ構造物３００は、２層の平面構造を有する。すなわち、第１層は金属層３１０で構成され、第２層は金属板３３０−１，３３０−２で構成される。勿論、第１層と第２層の構成は、これと逆になってもよい。ここで、第１層と第２層との間には誘電層３２０が介在する。図３では、図面図示の便宜上、複数の金属板を長手方向で隣接する二つの金属板だけを図示したが、複数の金属板を、図４ａ〜図６ｃに示すように、一つの金属板を基準として上下左右、すなわち、四方向に配置することもできる。
【００６７】
図３を参照すると、ステッチングビア３４０は図２ａと同様に、第１ビア３４１、第２ビア３４２、及び接続パターン３４３を含み、隣接する二つの金属板間（３３０−１と３３０−２との間）を電気的に接続させる。すなわち、第１ビア３４１は誘電層３２０を貫通し、その一端３４１ａが第１金属板３３０−１と同一平面上に位置し、第２ビア３４２は誘電層３２０を貫通し、その一端３４２ａが第２金属板３３０−２と同一平面上に位置している。接続パターン３４３も金属層３１０と同一平面上に位置し、その一端が第１ビア３４１の一端３４１ｂに接続し、他端が第２ビア３４２の一端３４２ｂに接続する。このとき、金属板３３０−１，３３０−２と金属層３１０との間の電気的な接続を防止するために、ステッチングビア３４０の接続パターン３４３の周縁にはクリアランスホール３５０が形成される。
【００６８】
もちろん、接続パターン３４３が形成される位置に、図３とは異なり、別途の金属層３１０が存在しない場合もあり（前述した図２ｂ参照）、このような場合には別途にクリアランスホールなどを備える必要がないことは前述した通りである。
【００６９】
また、本発明による電磁気バンドギャップ構造物３００のステッチングビア３４０は、金属板３３０−１，３３０−２と同一平面上に位置する延長パターン３４４，３４５（以下、第１延長パターン３４４及び第２延長パターン３４５と称する）をさらに備える。ここで、第１延長パターン３４４は第１ビア３４１の一端３４１ａを出発点として同一平面上、すなわち、第１金属板３３０−１から延長されるパターンに形成され、第２延長パターン３４５は、第２ビア３４２の一端３４２ａを出発点として同一平面上、すなわち、第２金属板３３０−２から延長されるパターンに形成される。
【００７０】
すなわち、第１延長パターン３４４はその一端が第１ビア３４１の一端３４１ａに接続され、他端が第１金属板３３０−１に接続されることにより、第１ビア３４１と第１金属板３３０−１との間の電気的な接続を可能とさせる。また、第２延長パターン３４５は、その一端が第２ビア３４２の一端３４２ａに接続され、他端が第２金属板３３０−２に接続されることにより、第２ビア３４２と第２金属板３３０−２との間の電気的な接続を可能とさせる。
【００７１】
このとき、第１延長パターン３４４及び第２延長パターン３４５におけるパターンは、第１金属板３３０−１及び第２金属板３３０−２のそれぞれ第１ビア３４１の一端３４１ａの隣接領域及び第２ビア３４２の一端３４２ａの隣接領域に形成されたエッチングホール３６１，３６２の形態に応じて相対的に決定される。したがって、本明細書の各図面には棒形状の延長パターンだけが例示されているが、これに限らず、延長パターンは金属板との電気的な接続ができるのであれば、トレース状（ｔｒａｃｅ  ｔｙｐｅ）、螺旋状（ｓｐｉｒａｌ  ｔｙｐｅ）などの多様な形状とすることもできる。よって、エッチングホール３６１，３６２は、金属板と延長パターンとの間の電気的な接続が切れないように、閉曲線状ではなく、開曲線状に形成される必要がある。
【００７２】
したがって、本発明で、隣接する信号が第１金属板３３０−１から第２金属板３３０−２へ進むと仮定すれば、本発明の隣接する二つの金属板３３０−１，３３０−２は、ステッチングビア３４０を介して、第１金属板３３０−１→第１延長パターン３４４→第１ビア３４１→接続パターン３４３→第２ビア３４２→第２延長パターン３４５→第２金属板３３０−２の順に電気的に接続される。すなわち、本発明のステッチングビア３４０は、図２ａとは異なって、延長パターンがさらに含まれており、同一条件下であっても図２ａに比べて延長パターンにより延長された長さだけに対応するインダクタンス値をさらに確保できるという利点がある。よって、第１延長パターン３４４と第２延長パターン３４５とのいずれか一つのパターンだけで所望するインダクタンス値が十分に確保できる場合には、この二つのパターンのうちの一つは省略可能になる。
【００７３】
このとき、金属層３１０は通常の印刷回路基板内で電源層及び接地層のうちの一つとして機能することができ、複数の金属板３３０−１，３３０−２はステッチングビア３４０により隣接する金属板がすべて接続されて一つの閉回路を形成することにより、電源層及び接地層のうちの他の一つとして機能することができる。また、本発明の電磁気バンドギャップ構造物３００がＳＩＰ基板に適用される場合、金属層３１０は接地層として機能し、ステッチングビア３４０により接続される複数の金属板３３０−１，３３０−２は信号伝達のための信号層として機能することかできる。
【００７４】
上述した原理に基づけば、本発明の電磁気バンドギャップ構造物３００は、印刷回路基板に存在するノイズ源とノイズ遮蔽先との間のノイズ伝達可能経路に配置されることにより、目的とする特定周波数帯域のノイズを遮蔽または低減することができる。ここで、ノイズ源及びノイズ遮蔽先としては、印刷回路基板において、例えば、互いの動作周波数が異なる二つの電子回路が搭載されるそれぞれの位置に対応させることができる。
【００７５】
上述した図３〜図４ｂの電磁気バンドギャップ構造物は、ある一つの金属板を基準として上下左右に配置された他の金属板と、ステッチングビア３４０によりそれぞれ接続され、すべての金属板が同一平面上に位置し、すべての金属板が同一形状及び面積を有すると仮定して図示されている。しかし、本発明は、上述した一実施例に限定されず、他の多様な実施例及び変形例が存在できることは明らかである。例えば、本発明の電磁気バンドギャップ構造物の金属板は、様々な形状（例えば、多角形、円形、楕円形など）や面積を有するように設計可能であり、また単独またはグループで、または予め定められた規則により、互いに異なる二つ以上の平面上に位置することもできる。特に、金属板のすべてが一平面上に積層されない場合には２層以上の構造を有することになり、層数が増加するという問題となるが、本発明の電磁気バンドギャップ構造物を多層印刷回路基板内に配置することを想定すれば、これが設計上の不利になることはないだろう。
【００７６】
また、図５ａ〜図５ｃには、本発明の多様な実施例及び変形例による延長パターンの多様な例が示されている。すなわち、図５ａ〜図５ｃには、延長パターンが第１ビア３４１及び第２ビア３４２の形成位置に応じてそれぞれ異なる位置、方向を有するように設計できることが示されている。ここで、点線は接続パターンを示す。
【００７７】
図７ａ及び図７ｂは、本発明の一実施例による電磁気バンドギャップ構造物のノイズ遮蔽可能性を確認するための例示モデルを示し、図７ｃは、図７ａ及び図７ｂに示された例示モデルのシミュレーション結果を示すグラフである。図７ａには例示モデルの接続パターン３４３が、図７ｂには例示モデルの延長パターン３４４，３４５が示されている。
【００７８】
図７ｃは、本発明による延長パターンがさらに備えられているステッチングビアを含んでいる電磁気バンドギャップ構造物（図７ｃの２１参照）と、比較対象として、同一デザイン条件で設計され、単に延長パターンを備えていないステッチングビアを含んでいる電磁気バンドギャップ構造物（図７ｃの１１参照）に対する周波数特性グラフを示す。
【００７９】
図７ｃを参照すると、本発明による電磁気バンドギャップ構造物は、遮蔽率−５０ｄＢを基準に、そのバンドギャップ周波数（ｂａｎｄｇａｐ  ｆｒｅｑｕｅｎｃｙ）が約２．３〜５ＧＨｚ帯域を有することが分かる。これに比べて、同一デザイン条件下の比較対象の電磁気バンドギャップ構造物は、遮蔽率−５０ｄＢを基準にする場合、下限周波数が約４．３ＧＨｚで形成されることが分かる。これは、本発明の電磁気バンドギャップ構造物がステッチングビアの延長パターンのために、比較対象に比べてインダクタンス値をそれだけさらに確保できたからバンドギャップ周波数の下限値が非常に低くなったと証明するものである。
【００８０】
図７ｃのシミュレーション結果では、本発明のバンドギャップ周波数が約２．３〜５ＧＨｚ帯域を有すると示されているが、これはステッチングビア３４０を構成する第１ビア、第２ビア、接続パターン、延長パターンの形状、長さ、面積、幅などの設計値の変化により変動することは明らかである。それと共に、金属板のサイズ、面積、形状、及び誘電層を構成する誘電物質の誘電率などの設計値の変化によっても、バンドギャップ周波数及びその遮蔽率が変動することは明らかである。
【００８１】
上述したように、本発明は延長パターンにより長さが拡張されたステッチングビアを含む電磁気バンドギャップ構造物を用いることにより、目的とする周波数帯域の電磁波を遮蔽することができる。また、本発明は電磁気バンドギャップ構造物を設計または印刷回路基板内に配置する際に、デザインの制限、配置上の困難を大きく改善でき、シグナルインテグリティの側面からもかなりの利点を有する。
【００８２】
以上、本発明の好適な実施例を参照して説明したが、当該技術分野の通常の知識を有する者であれば、特許請求の範囲に記載された本発明の思想及び領域から逸脱しない範囲内で本発明を多様に修正及び変更させることができる。
【図面の簡単な説明】
【００８３】
【図１】アナログ回路とデジタル回路とを含む印刷回路基板の断面図である。
【図２ａ】本発明の比較対象としてステッチングビアを含む電磁気バンドギャップ構造物の一形態を例示する立体斜視図である。
【図２ｂ】本発明の比較対象としてステッチングビアを含む電磁気バンドギャップ構造物の他の形態を例示する立体斜視図である。
【図２ｃ】図２ａに示された電磁気バンドギャップ構造物の等価回路図である。
【図３】本発明の一実施例によるステッチングビアを含む電磁気バンドギャップ構造物を示す立体斜視図である。
【図４ａ】図３に示された電磁気バンドギャップ構造物の接続パターンを示す図である。
【図４ｂ】図３に示された電磁気バンドギャップ構造物の延長パターンを示す図である。
【図５ａ】本発明の他の実施例による電磁気バンドギャップ構造物を示す平面図である。
【図５ｂ】本発明のその他の実施例による電磁気バンドギャップ構造物を示す平面図である。
【図５ｃ】本発明のその他の実施例による電磁気バンドギャップ構造物を示す平面図である。
【図６ａ】四角形の金属板を含む電磁気バンドギャップ構造物の配列構造を示す平面図である。
【図６ｂ】三角形の金属板を含む電磁気バンドギャップ構造物の配列構造を示す平面図である。
【図６ｃ】電磁気バンドギャップ構造物の帯状の配列構造を示す平面図である。
【図６ｄ】複数の異なるサイズのグループの金属板で形成された電磁気バンドギャップ構造物の配列構造を示す平面図である。
【図６ｅ】複数の異なるサイズのグループの金属板で形成された電磁気バンドギャップ構造物の配列構造を示す平面図である。
【図７ａ】本発明の一実施例による電磁気バンドギャップ構造物のノイズ遮蔽の可能性を確認するための例示モデルを示す図である。
【図７ｂ】本発明の一実施例による電磁気バンドギャップ構造物のノイズ遮蔽の可能性を確認するための例示モデルを示す図である。
【図７ｃ】図７ａ及び図７ｂに示された例示モデルのシミュレーション結果を示すグラフである。
【符号の説明】
【００８４】
３１０  金属層
３２０  誘電層
３３０  金属板
３４０  ステッチングビア
３４１  第１ビア
３４２  第２ビア
３４３  接続パターン
３４４  第１延長パターン
３４５  第２延長パターン
３５０  クリアランスホール
【図１】
0004808755.tif 000002
【図２ａ】
0004808755.tif 000003
【図２ｂ】
0004808755.tif 000004
【図２ｃ】
0004808755.tif 000005
【図３】
0004808755.tif 000006
【図４ａ】
0004808755.tif 000007
【図４ｂ】
0004808755.tif 000008
【図５ａ】
0004808755.tif 000009
【図５ｂ】
0004808755.tif 000010
【図５ｃ】
0004808755.tif 000011
【図６ａ】
0004808755.tif 000012
【図６ｂ】
0004808755.tif 000013
【図６ｃ】
0004808755.tif 000014
【図６ｄ】
0004808755.tif 000015
【図６ｅ】
0004808755.tif 000016
【図７ａ】
0004808755.tif 000017
【図７ｂ】
0004808755.tif 000018
【図７ｃ】
0004808755.tif 000019